(57)【特許請求の範囲】
【請求項１】
建物の開口部に固定する扉取付け枠の縦かまちに、扉で仕切られる両側の空間を連通させる通気路を設けた扉取付け用建具において、
前記縦かまちが、扉取付け用の内側縦部材とその外側に位置する外側縦部材とからなり、前記内側縦部材と外側縦部材を、両者の対向面間で幅方向の両側に位置するよう上下長さ方向に沿って配置した間隔保持板を挟みこんだ状態で結合し、
この両側間隔保持板によって、前記内側縦部材と外側縦部材の対向面間で両側間隔保持板間に上下長さ方向に沿う通気路を形成し、
前記内側縦部材と外側縦部材の対向面で通気路に臨む部分の一方に、内部空間が通気路と連通する凹溝と、同じく他方に前記凹溝内に向けて突出する突条を上下長さ方向に沿って設け、
前記突条が通気路を二分すると共に、凹溝の内部空間における通気路との連通部分を両側に区切ることにより、凹溝の内部空間を屈曲通路に形成し、
前記両側間隔保持板は、上下長さ方向に沿って複数に分断された配置となり、上下の端部間が通気路と連通する開口部になっており、
前記内側縦部材は、幅方向に長い断面が扁平な角筒形に形成され、前記外側縦部材に対向する面の幅方向中央位置に前記凹溝が長さ方向の全長にわたって設けられ、
前記間隔保持板は、その厚みを突条の突出高さよりも薄く設定され、前記内側縦部材と前記外側縦部材の結合により、突条は凹溝内に突出することを特徴とする扉取付け用建具。
【発明の詳細な説明】
【技術分野】
【０００１】
この発明は、ホテルやマンション等の浴室において、強化ガラスを用いた一枚物の扉を取付けるために用いる扉取付け用建具、更に詳しくは、脱衣室から浴室への常時通気を簡単な構造で確保することができるようにした扉取付け用建具に関する。
【背景技術】
【０００２】
ホテルやマンション等の浴室において、脱衣室との出入り口に設ける扉に強化ガラスを用いた一枚物の扉を採用し、浴室のデザインや環境を見た目に豪華な感じにすると共に、広く見せるようにすることが行われている。
【０００３】
このような浴室で発生した湯気や湿気は、浴室の天井や壁に設けた換気扇によって排出するため、浴室の出入り口を扉で密閉すると、脱衣室側から浴室内への空気の流れが遮断され、浴室に対する換気作用が低下するため、浴室の出入り口に固定する扉取付け枠の縦かまちに、扉で仕切られる脱衣室と浴室を連通させる通気路を設けた扉取付け用建具が提案されている。
【０００４】
従来の扉取付け用建具は、枠状に形成した扉取付け枠における扉枢止側の縦かまちを、扉取付け用の内側縦部材とその外側に間隔を置いて位置する外側縦部材で形成し、前記扉取付け用内側縦部材と外側縦部材の対向面間で上下両端部の位置に、上部結合部材と下部結合部材を介在させることにより、前記内側縦部材と外側縦部材の対向面間に、脱衣室と浴室を同通させる通気路を形成し、この通気路の浴室に開口する面にガラリを設け、このガラリによって通気路を開閉するようにした構造になっている。
【０００５】
上記ガラリは、重ね合わせた上下に長い固定板と可動板の両側を、内側縦部材と外側縦部材に設けた縦溝に嵌め込み、可動板の上下移動により固定板と可動板に設けた両者の通気孔の連通と遮断を行うことで通気路を開閉し、また、通気量を調整するものである (例えば、特許文献１参照)。
【先行技術文献】
【特許文献】
【０００６】
【特許文献１】特開２００６−２２６０６６号公報
【発明の概要】
【発明が解決しようとする課題】
【０００７】
ところで、近年健康維持や美容の関心が高まり、入浴時にミスト効果やサウナ効果で、美肌、老廃物の除去、疲労回復等が得られるミスト発生設備やサウナ設備の設置要望が増大し、これら設備の使用後は浴室の換気を２４時間連続して行うことになるが、上記のようなガラリによって通気路を開閉する通気構造では、往々にしてガラリを閉じの状態にしたままで放置することがあり、このように、通気路が閉鎖されると、浴室の通気が得られないことで換気作用が低下し、湿度上昇による浴室躯体の劣化やカビの発生を招くことになる。
【０００８】
また、ガラリによって通気路を開閉する通気構造は、ガラリのために部品点数が増加するだけでなく、扉取付け用建具の組み立てに手間と時間を要することになり、製品のコストアップにつながるという点で改良の余地がある。
【０００９】
そこで、この発明の課題は、ガラリを省くことによって常時通気を確保することができ、ホテルやマンション等の一枚物のガラス扉を用いた浴室において、ミスト発生設備やサウナ設備を設置しても、湿度上昇による浴室躯体の劣化やカビの発生を抑えることができ、しかも、構造の簡素化による部品点数の削減と組み立て性の向上を図ることができる扉取付け用建具を提供することにある。
【課題を解決するための手段】
【００１０】
上記のような課題を解決するため、この発明は、建物の開口部に固定する扉取付け枠の縦かまちに、扉で仕切られる両側の空間を連通させる通気路を設けた扉取付け用建具において、前記縦かまちが、扉取付け用の内側縦部材とその外側に位置する外側縦部材とからなり、前記内側縦部材と外側縦部材を、両者の対向面間で幅方向の両側に位置するよう上下長さ方向に沿って配置した間隔保持板を挟みこんだ状態で結合し、この両側間隔保持板によって、前記内側縦部材と外側縦部材の対向面間で両側間隔保持板間に上下長さ方向に沿う通気路を形成し、前記内側縦部材と外側縦部材の対向面で通気路に臨む部分の一方に、内部空間が通気路と連通する凹溝と、同じく他方に前記凹溝内に向けて突出する突条を上下長さ方向に沿って設け、前記突条が通気路を二分すると共に、凹溝の内部空間における通気路との連通部分を両側に区切ることにより、凹溝の内部空間を屈曲通路に形成し、前記両側間隔保持板は、上下長さ方向に沿って複数に分断された配置となり、上下の端部間が通気路と連通する開口部になっているようにしたものである。
【００１１】
ここで、上記縦かまちにおける扉取付け用の内側縦部材は、幅方向に長い断面が扁平な角筒形となり、外側縦部材に対向する面の幅方向中央位置に凹溝が長さ方向の全長にわたって設けられ、脱衣室側に臨むコーナ縁に戸当たり用のシール材が設けられている。
【００１２】
また、外側縦部材は、幅方向に長い断面が扁平な角筒形となり、内側縦部材に対向する面の幅方向中央位置に凹溝へ向けて突出する突条が設けられ、前記内側縦部材と外側縦部材を、所定の厚みを有する帯板状の間隔保持板を挟みこんだ状態でビスにより結合することで、縦かまちが組立てられる。
【００１３】
上記間隔保持板は、外側縦部材に設けた突条を挟む両側の位置で上端部寄りと下端部寄りの二箇所の位置に配置され、この間隔保持板の厚みによって内側縦部材と外側縦部材の対向面間に突条で両側に二分された通気路が形成され、両側の通気路は凹溝によって連通することになる。
【発明の効果】
【００１４】
この発明によると、扉取付け枠の縦かまちに扉で仕切られる両側の空間を連通させる通気路を設け、この通気路を、縦かまちとなる内側縦部材と外側縦部材の対向面間に間隔保持板を挟みこんで形成したので、浴室の出入り口を扉で密閉するようにしても、扉で仕切られる浴室と脱衣室の通気性を常時確保することができ、浴室へのミスト発生設備やサウナ設備の設置した場合でも、湿度上昇による浴室躯体の劣化やカビの発生を抑えることができ、しかも、内側縦部材と外側縦部材の対向面間に間隔保持板を挟みこむだけでよいので、部品点数及び組立て工数の削減が図れることになり、構造の簡略化により経済的にも有利となる。
【００１５】
また、上記通気路は、突条で両側に二分し、二分した両側通気路を凹溝で連通させることにより、通気路の流れ方向の途中を屈曲させた状態となり、浴室側の湯水が通気路を通って脱衣室側に飛散するのを防止することができる。
【図面の簡単な説明】
【００１６】
【図１】この発明に係る扉取付け用建具を示す浴室側から見た使用状態の正面図
【図２】この発明に係る扉取付け用建具を示す浴室側から見た使用状態の要部を拡大した正面図
【図３】この発明に係る扉取付け用建具を示す浴室側から見た使用状態の要部を拡大した斜視図
【図４】扉取付け用建具の一方縦かまちを示す分解斜視図
【図５】この発明に係る扉取付け用建具を示す使用状態の要部を拡大した横断平面図
【発明を実施するための形態】
【００１７】
以下、この発明の実施の形態を図示例に基づいて説明する。
【００１８】
図１のように、浴室用の扉取付け用建具１は、両側縦かまち２、３と上かまち４及び下かまち５で矩形の扉取付け枠１ａに組み立てることで形成され、浴室Ａと脱衣室Ｂ間の出入り口開口部に組み込んだ状態で、強化ガラスを使用した一枚物の扉６を一方縦かまち２に複数のヒンジ７を用いて取付け、扉取付け枠１ａの内周に形成された枠状開口をこの扉６で開閉可能にしている。
【００１９】
上記一方縦かまち２は、図２乃至図５のように、扉取付け用の内側縦部材８とその外側に間隔を置いて位置する固定用の外側縦部材９とからなり、この内側縦部材８と外側縦部材９を対向面間に間隔保持板１０を挟みこんで結合することにより、前記対向面間に浴室Ａと脱衣室Ｂを連通させる通気路１２を形成している。
【００２０】
上記一方縦かまち２における扉取付け用の内側縦部材８は、図４のように、ステンレス等の金属板を折り曲げ加工することにより、幅方向に長い断面が扁平な角筒形に形成され、外側縦部材９に対向する面の幅方向中央位置に凹溝１３が長さ方向の全長にわたって設けられ、脱衣室Ｂ側に臨むコーナ縁にシール材１４の取付け溝１５が長さ方向の全長にわたって折り曲げ加工され、図５のように、扉６は閉位置にあるとき脱衣室Ｂ側に臨む面がシール材１４に圧接するようになっている。
【００２１】
上記外側縦部材９は、ステンレス等の金属板を折り曲げ加工することにより、幅方向に長い断面が扁平な角筒形に形成され、内側縦部材８に対向する面の幅方向中央位置に、凹溝１３へ向けて突出する突条１６が長さ方向の全長にわたって設けられている。
【００２２】
上記間隔保持板１０は、上下長さが比較的短く、所定の厚みを有する帯板状に形成され、図３と図４のように、外側縦部材９の上端部と下端部の位置において、内側縦部材８に対向する面で突条１６を挟む両側の位置に重ねて配置し、この状態で間隔保持板１０を挟むようにして内側縦部材８と外側縦部材９を重ね、間隔保持板１０のある部分の複数箇所でビス１７により内側縦部材８と外側縦部材９を結合し、一方縦かまち２の組み立てを行っている。
【００２３】
上記間隔保持板１０は、長さ方向を外側縦部材９の上下方向に沿わせ、その厚みを突条１６の突出高さよりも薄く設定し、突条１６から少し離れた位置に配置する。
【００２４】
また、内側縦部材８と外側縦部材９の結合により、図５のように、突条１６は凹溝１３内に突出するが、この突条１６と凹溝１３の間には通気に必要な隙間が確保されるようになっている。
【００２５】
このような間隔保持板１０により内側縦部材８と外側縦部材９間に形成された通気路１２は、突条１６によって両側に二分されるが、この二分された通気路１２は突条１６の進入により平面コ字状となった凹溝１３によって連通することになり、実質的に通気路１２は通気の流れ方向の途中が屈曲したような構造になる。
【００２６】
また、両側に二分された通気路１２には間隔保持板１０が位置する部分が閉鎖されるが、この間隔保持板１０は一方縦かまち２の上下長さ方向に沿って上端部と下端部に分断された配置となっているので、両側通気路１２における間隔保持板１０の無い部分、即ち、上下に位置する間隔保持板間が浴室Ａ側に臨む開口部１２ａ及び脱衣室Ｂ側に臨む開口部１２ｂになっている。
【００２７】
なお、図示の場合、上記両側縦かまち２、３と上かまち４及び下かまち５は、ステンレス等の金属板の曲げ物によって所定の断面形状に形成したが、これらにアルミ等の押し出し成形品を用いてもよく、また、他方縦かまち３や上かまち４及び下かまち５には、扉６が当接するパッキンを取り付け、扉取付け枠１ａの内周出入り口を扉６が密閉するようになっている。
【００２８】
この発明の扉取付け用建具である扉取付け枠１ａは、上記のような構成であり、ホテルやマンション等の浴室Ａと脱衣室Ｂの出入り口に強化ガラスを用いた一枚物の扉６を設けるために使用する。
【００２９】
図５のように、間隔保持板１０を挟んで内側縦部材８と外側縦部材９を結合し、一方縦かまち２を組み立て、外側縦部材９を建物側構造物にビス止め固定して、扉取付け枠１ａを出入り口開口部に組み込んだ状態で、扉取付け枠１ａの一方縦かまち２に強化ガラスを使用した一枚物の扉６をヒンジ７で取付け、扉取付け枠１ａの内周に形成された出入り用開口をこの扉６で開閉可能にする。
【００３０】
扉取付け枠１ａの内側四周囲にはパッキンが設けてあり、閉鎖位置にある扉６はこのパッキンに当接するので、出入り口を密閉することができる。
【００３１】
上記のような扉取付け枠１ａの固定状態で、一方縦かまち２に設けた通気路１２が浴室Ａと脱衣室Ｂを常時連通させることになり、図５の断面図で矢印によって示すように、浴室Ａを強制換気することにより、通気路１２を通って脱衣室Ｂから浴室Ａに向けて空気が流れ、これにより、浴室Ａの２４時間換気が可能になり、浴室Ａ側にミスト発生設備やサウナ設備を設けても、換気が十分に行えることで、湿度上昇による浴室躯体の劣化やカビの発生を抑えることができる。
【００３２】
また、一方縦かまち２に設けた通気路１２は、突条１６で両側に二分して凹溝１３で連通させることにより、通気路１２の流れ方向の途中を屈曲させた構造となり、これにより、浴室Ａ側の湯水が通気路１２を通って脱衣室Ｂ側に飛散するのを防止することができる。
【００３３】
更に、一方縦かまち２は、内側縦部材８と外側縦部材９の対向面間に間隔保持板１０を挟みこむだけの組み立て構造となるので、扉取付け用建具１の部品点数及び組立て工数の削減が図れることになる。
【符号の説明】
【００３４】
１          扉取付け用建具
１ａ        扉取付け枠
２          縦かまち
３          縦かまち
４          上かまち
５          下かまち
６          扉
７          ヒンジ
８          内側縦部材
９          外側縦部材
１０        間隔保持板
１２        通気路
１２ａ      開口部
１２ｂ      開口部
１３        凹溝
１４        シール材
１５        取付け溝
１６        突条
１７        ビス
Ａ          浴室
Ｂ          脱衣室
【図１】
0005976295.tif 000002
【図２】
0005976295.tif 000003
【図３】
0005976295.tif 000004
【図４】
0005976295.tif 000005
【図５】
0005976295.tif 000006